(57)【要約】    【課題】予め調整されている音量の相違に拘わらず、居室親機から放音される呼出音の音量および受話音声の音量を無音状態とし、居住者にとって使い勝手を良くして利便性を高める。    【解決手段】玄関子機１からの呼び出しが報知され、この玄関子機との間で送受話の双方向通話を成立させることができる居室親機２に備えられた音量無音設定手段２７、３０、３４、３５、３７により、親機スピーカ２１からの呼出音の放音および受話音声の放音（出力）を停止して無音状態にする。また、無音状態である旨を、居室親機の視認手段２８を使用して報知する。また、無音状態である旨の呼出確認音を、音量無音設定手段の状態に拘わらず、玄関子機の子機スピーカ１３から放音させる。また、居室親機の音量無音設定手段によって玄関子機との間で通話状態になった場合には、無音状態を自動で解除する。さらに、玄関子機との間で成立されていた送受話の双方向通話が終了して終話状態になると、居室親機では無音状態に戻る。  【選択図】図２
2007088756.tif 000002
【特許請求の範囲】
【請求項１】
来訪者が居住者を呼び出すための呼出ボタン（１０）および前記居住者との間で送受話の双方向通話を成立させるための子機マイク（１２）、子機スピーカ（１３）を有する玄関子機（１）と、前記玄関子機からの呼び出しを呼出音として放音するための親機スピーカ（２１）、前記呼び出しを前記呼出音により確認し前記来訪者との間で送受話の双方向通話を成立させるための親機マイク（２０）、前記親機スピーカを有する居室親機（２）とを備え、
前記居室親機は、前記親機スピーカからの前記呼出音の音量および前記受話音声の音量を無音状態とするための音量無音設定手段（２７、３０、３４、３５、３７）を備えたことを特徴とするインターホン装置。
【請求項２】
前記居室親機は、前記音量無音設定手段により前記呼出音および受話音声が無音状態となっていることを視認させるための視認手段（２８）を備えたことを特徴とする請求項１記載のインターホン装置。
【請求項３】
前記居室親機は、前記音量無音設定手段により前記呼出音および受話音声が無音状態となっている場合において、前記居室親機にて生成された呼出確認音を前記音量無音設定手段の状態に拘わらず前記玄関子機の子機スピーカから放音させることを特徴とする請求項１または請求項２記載のインターホン装置。
【請求項４】
前記居室親機は、前記音量無音設定手段により前記呼出音および受話音声が無音状態となっている場合において、通話操作により前記玄関子機との間で通話状態になったことを検出したときには前記無音状態を解除する制御を行うことを特徴とする請求項１乃至請求項３のうち何れか１項記載のインターホン装置。
【請求項５】
前記居室親機は、終話状態になったことを検出したときには、前記無音状態に戻す制御を行うことを特徴とする請求項４記載のインターホン装置。
【発明の詳細な説明】
【技術分野】
【０００１】
本発明はインターホン装置に係り、特に、居室親機から放音される呼出音の音量および受話音声の音量を無音状態にすることができるインターホン装置に関する。
【背景技術】
【０００２】
従来から、玄関子機からの呼び出しに応答した居室親機と当該玄関子機との間で送受話の双方向通話を成立させるにあたり、居室親機から放音される呼出音の音量および受話音声の音量を調節することができるインターホン装置が開示されている（例えば、非特許文献１を参照。）。
【０００３】
非特許文献１に記載のインターホン装置において、居室親機から放音される呼出音の音量を調整するにあたっては、呼出音量スイッチを使用して「大」、「中」、「小」、「切」の４段階のレベルのうち何れか１つの音量レベルを選択していた。一方、居室親機から放音（出力）される受話音声の音量を調整するにあたっては、受話音量スイッチを使用して「大」、「中」、「小」の３段階のレベルのうち何れか１つの音量レベルを選択していた。
【０００４】
また、居室親機（親機）から放音される呼出音の音量を調整することができる装置としては、前述の非特許文献１の他に、特許文献１に記載のインターホン用呼出音量調整回路が開示されている。
【０００５】
【非特許文献１】アイホン総合カタログ  ２００５／２００６年版（第２０頁）
【特許文献１】特開平９−９３３５４号公報（段落番号「００１６」乃至「００２６」、第１図）
【発明の開示】
【発明が解決しようとする課題】
【０００６】
しかしながら、背景技術に記載の非特許文献１および特許文献１において、居室親機（親機）から放音される呼出音の音量として、「大」、「中」、「小」、「切」の４段階のうち「切」を選択すると、呼出音の放音を停止することはできたが、受話音声の音量は「大」、「中」、「小」の３段階のうち何れか１つの音量を選択するように、受話音声の出力を停止することはできなかった。したがって、例えば、深夜等に来訪者による玄関子機からの呼び出しがあった場合、居室親機からの呼出音の放音を停止することはできる一方、居住者の応答による通話状態に移行する前において玄関子機から居室親機への通話路が形成されるため、玄関子機に入力された来訪者の音声が「大」、「中」、「小」の３段階のうち何れか１つの音量で居室親機から放音（出力）されてしまい、静粛性を保持できず使い勝手が悪かった。
【０００７】
本発明は、この難点を解消するためになされたもので、予め調整されている音量の相違に拘わらず、居室親機から放音される呼出音の音量および受話音声の音量を無音状態にすることができる居住者にとって使い勝手の良い利便性が高められたインターホン装置を提供することを目的としている。
【課題を解決するための手段】
【０００８】
前述の目的を達成するため、本発明の第１の態様であるインターホン装置は、来訪者が居住者を呼び出すための呼出ボタンおよび居住者との間で送受話の双方向通話を成立させるための子機マイク、子機スピーカを有する玄関子機と、玄関子機からの呼び出しを呼出音として放音するための親機スピーカ、呼び出しを呼出音により確認し来訪者との間で双送受話の双方向通話を成立させるための親機マイク、親機スピーカを有する居室親機とを備えたものである。居室親機は、親機スピーカから放音される呼出音の音量および受話音声の音量を無音状態とするための音量無音設定手段を備えたものである。
【０００９】
また、本発明の第２の態様であるインターホン装置は、本発明の第１の態様において、居室親機は、音量無音設定手段により呼出音および受話音声が無音状態となっていることを視認させるための視認手段を備えたものである。
【００１０】
また、本発明の第３の態様であるインターホン装置は、本発明の第１の態様または第２の態様において、居室親機は、音量無音設定手段により呼出音および受話音声が無音状態となっている場合において、居室親機にて生成された呼出確認音を音量無音設定手段の状態に拘わらず玄関子機の子機スピーカから放音させるものである。
【００１１】
また、本発明の第４の態様であるインターホン装置は、本発明の第１の態様乃至第３の態様において、居室親機は、音量無音設定手段により呼出音および受話音声が無音状態となっている場合において、通話操作により玄関子機との間で通話状態になったことを検出したときには無音状態を解除する制御を行うものである。
【００１２】
また、本発明の第５の態様であるインターホン装置は、本発明の第４の態様において、居室親機は、終話状態になったことを検出したときには、無音状態に戻す制御を行うものである。
【発明の効果】
【００１３】
本発明のインターホン装置によれば、来訪者による玄関子機からの呼び出しが報知され、この玄関子機との間で送受話の双方向通話を成立させることができる居室親機に備えられた音量無音設定手段により、例えば、深夜等に来訪者による玄関子機からの呼び出しがあった場合、居室親機の親機スピーカからの呼出音の放音および受話音声の放音（出力）を停止して無音状態にすることができるため、静粛性が保持され、居住者にとって使い勝手が良く利便性が高められる。
【００１４】
また、本発明のインターホン装置によれば、居室親機の親機スピーカからの呼出音の放音および受話音声の放音（出力）が停止されている無音状態である旨を、視認手段を使用して居住者に報知することができる。
【００１５】
また、本発明のインターホン装置によれば、居室親機の親機スピーカからの呼出音の放音および受話音声の放音（出力）が停止されている無音状態である旨の呼出確認音を、音量無音設定手段の状態に拘わらず、玄関子機の子機スピーカから放音させることができるため、インターホン機能が故障であるといった来訪者による誤認を防止することができる。
【００１６】
また、本発明のインターホン装置によれば、居室親機の音量無音設定手段によって玄関子機との間で通話状態になった場合には、無音状態が自動で解除されるため、来訪者の音声を親機スピーカから放音（出力）させることができる。
【００１７】
さらに、本発明のインターホン装置によれば、玄関子機との間で成立されていた送受話の双方向通話が終了して終話状態になると、居室親機では、親機スピーカからの呼出音の放音および受話音声の放音（出力）が停止されて無音状態に制御される。
【発明を実施するための最良の形態】
【００１８】
以下、本発明のインターホン装置を適用した最良の実施の形態例について、図面を参照して説明する。
【００１９】
図１は、本発明を実施するための最良の一形態例であるインターホン装置の外観構成を示すシステム説明図である。
【００２０】
図１に示すインターホン装置は、屋外、エントランスに設置され、来訪者が屋内に在室中の居住者を呼び出して送受話の双方向通話を成立させるための玄関子機１と、屋内に設置され、伝送路Ｌを経由して接続された玄関子機１からの呼び出し、すなわち、来訪者からの呼び出しが報知され、この呼び出しに応答した居住者が来訪者との間で送受話の双方向通話を成立させるための居室親機２とを備えている。
【００２１】
玄関子機１は、呼出ボタン１０、カメラ１１、マイク（以下、子機マイクという。）１２、スピーカ（以下、子機スピーカという。）１３を有している。
【００２２】
この玄関子機１において、呼出ボタン１０は、来訪者が居住者を呼び出すために操作するものである。
【００２３】
カメラ１１は、（呼出操作を行った）来訪者の映像や自機器が設置された周囲環境の映像（監視映像）を撮像するためのものである。このカメラ１１としては、例えば、ＣＣＤ（Charge Coupled Device）撮像素子、ＣＭＯＳ（Complementary Metal Oxide Semiconductor）撮像素子等が好適とされる。
【００２４】
子機マイク１２および子機スピーカ１３は、来訪者が居住者との間で送受話の双方向通話を成立させるにあたり、音声（送話音声、受話音声）を入出力するためのものである。なお、子機スピーカ１３は、前述の通話機能（受話機能）の他に、来訪者による呼び出しが居室親機２にて正常に検出された旨の呼出確認音（音声メッセージを含む。）を放音する機能を有している。
【００２５】
居室親機２は、マイク（以下、親機マイクという。）２０、スピーカ（以下、親機スピーカという。）２１、ハンドセット２２、モニタ２３、通話ボタン２４、フックスイッチ２５、モニタボタン２６、音量無音設定ボタン２７、ＬＥＤ（Light Emitting Diode）２８を有している。
【００２６】
この居室親機２において、親機マイク２０および親機スピーカ２１は、居住者が来訪者との間で送受話の双方向通話を成立させる、ここでは、拡声による送受話の双方向通話を成立させるにあたり、音声（送話音声、受話音声）を入出力するためのものである。なお、親機スピーカ２１は、前述の通話機能（受話機能）の他に、来訪者からの呼び出しがある旨の呼出音（音声メッセージを含む。）を放音する機能を有している。
【００２７】
ハンドセット２２は、居住者が来訪者との間で送受話の双方向通話を成立させる、すなわち、ハンドセット通話を成立させるにあたり、音声（送話音声、受話音声）を入出力するためのものである。
【００２８】
モニタ２３は、玄関子機１のカメラ１１にて撮像された映像を出画するためのものである。このモニタ２３としては、例えば、ＬＣＤ（Liquid Crystal Display）、有機ＥＬ（Electro Luminescence）ディスプレイ等が好適とされる。なお、モニタ２３は、前述の映像出画機能の他に、来訪者からの呼び出しがある旨の文字メッセージや絵データ等を表示する機能を有している。
【００２９】
通話ボタン２４は、居住者により行われる応答操作として、その応答操作の後、親機マイク２０および親機スピーカ２１を使用した拡声による送受話の双方向通話を成立させるためのものである。
【００３０】
フックスイッチ２５は、居住者により行われる応答操作として、その応答操作の後、ハンドセット２２を使用した送受話の双方向通話、すなわち、ハンドセット通話を成立させるためのものである。このフックスイッチ２５は、ハンドセット２２の取り上げの有無に起因してフックオフ／フックオンとなる機構を有している。
【００３１】
モニタボタン２６は、当該インターホン装置が待受状態、例えば、来訪者からの呼び出しがなく通話も成立していない状態等において、居住者が屋外の様子を監視するにあたり、モニタ２３、後述する復調回路３１および玄関子機１のカメラ１１をそれぞれ能動にするために操作されるものである。
【００３２】
音量無音設定ボタン２７は、親機スピーカ２１から放音させる呼出音の音量と当該親機スピーカまたはハンドセット２２のレシーバから放音（出力）させる受話音声の音量とをそれぞれ無音状態にするために操作されるものである。
【００３３】
ＬＥＤ２８は、親機スピーカ２１から放音させる呼出音の音量と当該親機スピーカまたはハンドセット２２のレシーバから出力させる受話音声の音量とがそれぞれ無音状態である旨を報知するために、所定のパターンで点滅／点灯されるものである。なお、ＬＥＤ２８は、前述の視認報知機能の他に、来訪者からの呼び出しがある旨を報知する機能を有している。
【００３４】
図２は、本発明を実施するための最良の一形態例であるインターホン装置において、居室親機２の具体的な構成を示すブロック図である。なお、玄関子機１についての具体的な構成の図示および説明は、省略するものとする。
【００３５】
図２に示す居室親機２には、前述の親機マイク２０、親機スピーカ２１、ハンドセット２２、モニタ２３、通話ボタン２４、フックスイッチ２５、モニタボタン２６、音量無音設定ボタン２７およびＬＥＤ２８と、報知音生成回路２９と、音量設定回路３０と、復調回路３１と、呼出音量調整回路３２と、受話音量調整回路３３と、２つのスイッチ（以下、それぞれ呼出音用スイッチ、受話音声用スイッチという。）３４、３５と、通話回路３６と、ＣＰＵ３７と、通信回路（以下、親機Ｉ／Ｆという。）３８とが備えられている。
【００３６】
この居室親機２において、報知音生成回路２９は、ＣＰＵ３７により制御され、親機スピーカ２１から放音させるべき呼出音と玄関子機１の子機スピーカ１３から放音させるべき呼出確認音とをそれぞれ生成するためのものである。この報知音生成回路２９としては、音声合成ＩＣ等が好適とされる。なお、報知音生成回路２９が有する生成機能は、ＣＰＵ３７に設けることもできる。
【００３７】
音量設定回路３０は、親機スピーカ２１から放音される呼出音の音量を、例えば、「大」、「標準」、「小」、「切」の４段階のレベルのうち何れか１つの当該レベルに設定するとともに、親機スピーカ２１またはハンドセット２２のレシーバから出力される受話音声の音量を、例えば、「大」、「中」、「小」の３つのレベルのうち何れか１つの当該レベルに設定するために操作されるものである。この音量設定回路３０としては、例えば、ＤＩＰスイッチ等が好適とされる。
【００３８】
復調回路３１は、ＣＰＵ３７により制御され、玄関子機１のカメラ１１にて撮像された映像であり、ＦＭ変調された後に伝送路Ｌ、親機Ｉ／Ｆ３８を経由して伝送されてくる映像信号を復調し、モニタ２３に出力するためのものである。
【００３９】
呼出音量調整回路３２は、ＣＰＵ３７により制御され、報知音生成回路２９にて生成された呼出音の音量を、音量設定回路３０により予め設定された音量にレベル調整するためのものである。
【００４０】
受話音量調整回路３３は、ＣＰＵ３７により制御され、玄関子機１から伝送路Ｌ、親機Ｉ／Ｆ３８を経由して伝送されてくる音声信号の音量、すなわち、受話音声の音量を、音量設定回路３０により予め設定された音量にレベル調整するためのものである。
【００４１】
呼出音用スイッチ３４は、ＣＰＵ３７によりオン／オフ切り替え制御され、報知音生成回路２９から呼出音量調整回路３２への信号伝送ラインを形成または遮断するためのものである。
【００４２】
受話音声用スイッチ３５は、ＣＰＵ３７によりオン／オフ切り替え制御され、親機Ｉ／Ｆ３８から受話音量調整回路３３への信号伝送ラインを形成または遮断するためのものである。
【００４３】
通話回路３６は、ＣＰＵ３７により制御され、親機マイク２０および親機スピーカ２１にて入出力される音声（送話音声、受話音声）であり信号された音声信号について４線／２線変換、２線／４線変換、増幅等を行い、信号伝送ライン（通話ライン）を形成する、或いは、ハンドセット２２のマイクおよびレシーバにて入出力される音声（送話音声、受話音声）であり信号された音声信号について４線／２線変換、２線／４線変換、増幅等を行い、信号伝送ライン（通話ライン）を形成するためのものである。
【００４４】
ＣＰＵ３７は、前述のように、当該居室親機の構成各部／回路をそれぞれ制御するためのものである。
【００４５】
親機Ｉ／Ｆ３８は、報知音生成回路２９から伝送路Ｌへの信号伝送ライン、伝送路Ｌから復調回路３１への信号伝送ライン、伝送路Ｌから受話音声用スイッチ３５の入力側への信号伝送ライン（通話ライン）、通話回路３６の４線側の一方から伝送路Ｌへの信号伝送ライン（通話ライン）、ＣＰＵ３７および伝送路Ｌの間における双方向の信号伝送ラインを、それぞれ形成するためのものである。
【００４６】
このように構成された本発明を実施するための最良の一形態例であるインターホン装置において、以下、具体的な動作について説明する。
【００４７】
図１、図２に示す居室親機２の音量無音設定ボタン２７が操作されていない場合において、ＣＰＵ３７は、親機スピーカ２１から放音される呼出音の音量を、例えば、「大」、「標準」、「小」、「切」の４段階のレベルのうち、音量設定回路３０により予め設定された何れか１つのレベルが選択されるように、呼出音量調整回路３２の増幅利得をレベル調整することができる。同様に、ＣＰＵ３７は、親機スピーカ２１またはハンドセット２２のレシーバから放音（出力）される受話音声の音量を、例えば、「大」、「中」、「小」の３段階のレベルのうち、音量設定回路３０により予め設定された何れか１つのレベルが選択されるように、受話音量調整回路３３の増幅利得をレベル調整することができる。
【００４８】
また、居室親機２の音量無音設定ボタン２７が操作されていない場合において、呼出音用スイッチ３４および受話音声用スイッチ３５は、それぞれＣＰＵ３７の制御によりメイク状態となるように切り替えられている。したがって、報知音生成回路２９から呼出音量調整回路３２を経由して親機スピーカ２１への信号伝送ラインと、親機Ｉ／Ｆ３８から受話音量調整回路３３を経由して通話回路３６への信号伝送ライン（通話ライン）とがそれぞれ形成されることになる。
【００４９】
次に、前述までの設定操作を検出した居室親機２のＣＰＵ３７の制御により、親機スピーカ２１から放音される呼出音の音量が例えば、「切」のレベル、当該親機スピーカまたはハンドセット２２のレシーバから出力される受話音声の音量が例えば、「大」のレベルに設定されている場合において、来訪者が居住者を呼び出す動作について説明する。
【００５０】
来訪者が玄関子機１の呼出ボタン１０を操作すると呼出信号が生成される。この呼出信号は、玄関子機１から伝送路Ｌ、居室親機２の親機Ｉ／Ｆ３８を経由してＣＰＵ３７へと伝送される。
【００５１】
居室親機２のＣＰＵ３７は、玄関子機１より伝送されてきた呼出信号をもとに、来訪者からの呼び出しがあることを検出する。このＣＰＵ３７は、モニタ２３、復調回路３１、呼出音量調整回路３２および受話音量調整回路３３がそれぞれ能動となるように制御するとともに、通話回路３６を制御して受話音量調整回路３３から親機スピーカ２１への信号伝送ライン（通話ライン）を形成する。
【００５２】
また、居室親機２のＣＰＵ３７は、玄関子機１のカメラ１１を駆動させ、子機マイク１２を使用した送話機能を能動にするための制御信号（以下、第１の制御信号という。）を生成する。この第１の制御信号は、前述の呼出信号の信号伝送ラインと逆の順路を経由して玄関子機１へと伝送される。
【００５３】
さらに、居室親機２のＣＰＵ３７は、報知音生成回路２９を制御して呼出音および呼出確認音をそれぞれ生成させる。ここで、呼出音は、親機スピーカ２１から放音される音量が例えば、「切」のレベルとなるように呼出音量調整回路３２の増幅利得がレベル調整されているため、親機スピーカ２１から呼出音が放音されることはない。一方、呼出確認音は、報知音生成回路２９から親機Ｉ／Ｆ３８、伝送路Ｌを経由して玄関子機１へと伝送される。
【００５４】
なお、居室親機２のＣＰＵ３７は、来訪者からの呼び出しがある旨の文字メッセージや絵データ等をモニタ２３に表示させることができる。さらには、来訪者からの呼び出しがある旨を居住者に報知（視認報知）するにあたり、ＬＥＤ２８を所定のパターンで点滅／点灯させることもできる。
【００５５】
玄関子機１は、居室親機２のＣＰＵ３７より伝送されてきた第１の制御信号を検出すると、カメラ１１を駆動して（呼出操作を行った）来訪者の映像や自機器が設置された周囲環境の映像の撮像を開始させるとともに、子機マイク１２を使用した送話機能が能動となる。このカメラ１１にて撮像された映像は、映像信号にＦＭ変調された後、伝送路Ｌ、居室親機２の親機Ｉ／Ｆ３８を経由して復調回路３１へと伝送される。
【００５６】
また、玄関子機１の子機スピーカ１３は、居室親機２の報知音生成回路２９より伝送されてきた呼出確認音を放音することにより、来訪者による呼び出しが居室親機２（のＣＰＵ２０）にて正常に検出された旨を当該来訪者自身に報知することができる。
【００５７】
さらに、玄関子機１の子機スピーカ１３から放音された呼出確認音を確認した来訪者により子機マイク１２に入力された音声は、子機音声信号に信号処理された後、伝送路Ｌ、居室親機２の親機Ｉ／Ｆ３８、メイク状態の受話音声用スイッチ３５を経由して受話音量調整回路３３へと伝送される。
【００５８】
居室親機２の復調回路３１は、玄関子機１より伝送されてきた映像信号を復調した後、モニタ２３に出力することにより、（呼出操作を行った）来訪者の映像や玄関子機１の周囲環境の映像をモニタ２３に出画させることができる。
【００５９】
居室親機２の受話音量調整回路３３は、玄関子機１より伝送されてきた子機音声信号の音量レベルを調整するにあたり、音量設定回路３０の操作により予め設定された「大」の増幅利得でレベル調整した後、通話回路３６を経由して親機スピーカ２１に出力することができる。したがって、親機スピーカ２１では、玄関子機１の子機マイク１２に入力された来訪者の音声が、「大」の音量レベルで放音（出力）されるため、子機マイク１２に入力された音声のみならず、玄関子機１が設置された周囲環境の音が放音（出力）される虞がある。この機能は、外出先から帰宅しようとしている居住者が在宅中の居住者に対して帰宅した旨を報知する機能として有効利用されるものである一方、来訪者からの呼出時においては好ましくないことから、この機能を無効にする必要がある。
【００６０】
そこで、居住者は、前述の無効手段として、居室親機２の音量無音設定ボタン２７を操作する。この操作を検出したＣＰＵ３７は、メイク状態の呼出音用スイッチ３４および受話音声用スイッチ３５がそれぞれブレイク状態となるように切り替え制御することにより、報知音生成回路２９から呼出音量調整回路３２を経由して親機スピーカ２１への信号伝送ラインと、親機Ｉ／Ｆ３８から受話音量調整回路３３、通話回路３６を経由して親機スピーカ２１への信号伝送ラインとがそれぞれ遮断される。したがって、音量設定回路３０により予め設定された音量レベルの相違に拘わらず、親機スピーカ２１からの呼出音の放音と当該親機スピーカまたはハンドセット２２のレシーバからの受話音声の放音（出力）とをそれぞれ無音状態にすることができ、静粛性が保持され、居住者にとって使い勝手が良く利便性が高められる。
【００６１】
また、居室親機２のＣＰＵ３７は、親機スピーカ２１からの呼出音の放音と当該親機スピーカまたはハンドセット２２のレシーバからの受話音声の放音（出力）とがそれぞれ無音状態になっている旨を居住者に報知（視認報知）するにあたり、ＬＥＤ２８を所定のパターンで点滅／点灯させることができる。なお、前述の視認手段は、ＬＥＤ２８への制御に限定されるものではない。例えば、音量無音設定ボタン２７自体に発光機能が備えられている場合には、その発光機能を能動にして所定のパターンで点滅／点灯させる視認手段や、その旨の文字メッセージや絵データ等をモニタ２３に表示させる視認手段も好適とされる。
【００６２】
次に、居住者により居室親機２の音量無音設定ボタン２７が予め操作されているように、前述の無効手段が能動であった場合において、来訪者が居住者を呼び出す動作について説明する。
【００６３】
来訪者が玄関子機１の呼出ボタン１０を操作すると、居室親機２の音量無音設定ボタン２７が操作されていなかった前述までの動作と同様、居室親機２のＣＰＵ３７へと呼出信号が伝送される。この呼出信号を検出したＣＰＵ３７は、呼出音用スイッチ３４および受話音声用スイッチ３５のブレイク状態をそれぞれ保持するとともに、無音状態である旨を居住者に報知（視認報知）しているＬＥＤ２８への制御を保持し、さらには、玄関子機１のカメラ１１を駆動させることができる。したがって、親機スピーカ２１からの呼出音の放音が無音状態である一方、玄関子機１のカメラ１１にて撮像された映像をモニタ２３に出画させることで、居住者は、来訪者からの呼び出しを当該来訪者の識別をもとに確認することができる。
【００６４】
また、居室親機２のＣＰＵ３７は、報知音生成回路２９にて生成された呼出確認音を玄関子機１の子機スピーカ１３から放音させることができる。したがって、居室親機２の音量無音設定ボタン２７の操作の有無の相違、すなわち、親機スピーカ２１からの呼出音の放音と当該親機スピーカまたはハンドセット２２のレシーバからの受話音声の放音（出力）とがそれぞれ無音状態であるか否かに拘わらず、子機スピーカ１３から呼出確認音を放音させることができる。
【００６５】
なお、居室親機２のＣＰＵ３７は、玄関子機１より伝送されてきた呼出信号を検出すると、来訪者からの呼び出しがある旨の文字メッセージや絵データ等をモニタ２３に表示させることができる。
【００６６】
次に、居室親機２のモニタ２３に出画された映像（同様に当該モニタに表示された文字メッセージや絵データ等）をもとに、来訪者からの呼び出しがあることを確認した居住者が応答操作を行い、通話を成立させる動作について説明する。
【００６７】
居住者により行われる応答操作として、第１の応答操作として居室親機２の通話ボタン２４が操作されると、この操作を検出したＣＰＵ３７は、計時機能が能動となり所定の通話時間の計時を開始するとともに、ブレイク状態の呼出音用スイッチ３４および受話音声用スイッチ３５がそれぞれメイク状態となるように切り替え制御する。
【００６８】
また、居室親機２のＣＰＵ３７は、通話回路３６を制御して、居住者が使用する親機マイク２０から当該通話回路を経由して親機Ｉ／Ｆ３８への信号伝送ライン（通話ライン）と、親機Ｉ／Ｆ３８からメイク状態の受話音声用スイッチ３５、受話音量調整回路３３、当該通話回路を経由して居住者が使用する親機スピーカ２１への信号伝送ライン（通話ライン）とをそれぞれ形成させる。
【００６９】
また、居室親機２のＣＰＵ３７は、玄関子機１の子機マイク１２のみならず子機スピーカ１３を使用した送受話機能を能動とするための制御信号（以下、第２の制御信号という。）を生成する。この第２の制御信号は、前述の第１の制御信号の信号伝送ラインと同一の順路を経由して玄関子機１へと伝送される。
【００７０】
さらに、居室親機２のＣＰＵ３７は、報知音生成回路２９を制御して応答確認音を生成させる。この応答確認音は、前述の呼出確認音と同一の順路を経由して玄関子機１へと伝送される。
【００７１】
なお、居室親機２のＣＰＵ３７は、通話状態である旨の文字メッセージや絵データ等をモニタ２３に表示させることができる。さらには、通話状態である旨を居住者に報知（視認報知）するにあたり、ＬＥＤ２８を所定のパターンで点滅／点灯させることもできる。
【００７２】
玄関子機１は、居室親機２のＣＰＵ３７より伝送されてきた第２の制御信号を検出すると、送受話機能が能動となり、来訪者が使用する子機マイク１２から伝送路Ｌ、居室親機２の親機Ｉ／Ｆ３８、メイク状態の受話音声用スイッチ３５、通話回路３６を経由して来訪者が使用する親機スピーカ２１への信号伝送ライン（通話ライン）が形成されるとともに、居住者が使用する親機マイク２０から通話回路３６、親機Ｉ／Ｆ３８、伝送路Ｌを経由して来訪者が使用する（玄関子機１の）子機スピーカ１３への信号伝送ライン（通話ライン）が形成される。
【００７３】
また、玄関子機１の子機スピーカ１３は、居室親機２の報知音生成回路２９より伝送されてきた応答確認音を放音することにより、居住者によって応答操作が行われ通話が可能である旨を来訪者に報知することができる。
【００７４】
ここで、玄関子機１の子機スピーカ１３から放音された応答確認音を確認した来訪者が、子機マイク１２に音声（送話音声）を入力すると、この音声は、子機音声信号に信号処理された後、伝送路Ｌ、居室親機２の親機Ｉ／Ｆ３８、メイク状態の受話音声用スイッチ３５を経由して受話音量調整回路３３へと伝送される。
【００７５】
居室親機２の受話音量調整回路３３は、玄関子機１より伝送されてきた子機音声信号の音量レベルを調整するにあたり、音量設定回路３０の操作により予め設定された「大」の増幅利得でレベル調整した後、通話回路３６を経由して親機スピーカ２１に出力することができる。したがって、親機スピーカ２１では、玄関子機１の子機マイク１２に入力された来訪者の音声（受話音声）が、「大」の音量レベルで出力されることになる。
【００７６】
一方、玄関子機１の通話ボタン２４を使用して応答操作を行った居住者が、音声（送話音声）を親機マイク２０に入力すると、この音声は、親機音声信号に信号処理された後、通話回路３６、親機Ｉ／Ｆ３８、伝送路Ｌを経由して玄関子機１へと伝送される。
【００７７】
玄関子機１は、居室親機２より伝送されてきた親機音声信号を信号処理し、親機マイク２０に入力された居住者の音声（受話音声）を子機スピーカ１３から出力させることができる。
【００７８】
次に、前述のように、来訪者と居住者との間で拡声による送受話の双方向通話が成立している場合において、居室親機２のＣＰＵ３７にて予め計時されている通話時間がタイムアップとなる、或いは、居住者が終話のために通話ボタン２４を再度操作すると、これを検出したＣＰＵ３７は、メイク状態の呼出音用スイッチ３４および受話音声用スイッチ３５がそれぞれブレイク状態となるように切り替え制御し、親機スピーカ２１からの呼出音の放音と当該親機スピーカまたはハンドセット２２のレシーバからの受話音声の放音（出力）とをそれぞれ無音状態に戻すことができる。
【００７９】
また、居室親機２のＣＰＵ３７は、親機スピーカ２１からの呼出音の放音と当該親機スピーカまたはハンドセット２２のレシーバからの受話音声の放音（出力）とがそれぞれ無音状態に戻された旨を居住者に報知（視認報知）するにあたり、ＬＥＤ２８を所定のパターンで点滅／点灯させることができる。
【００８０】
また、居室親機２のＣＰＵ３７は、玄関子機１の子機マイク１２および子機スピーカ１３を使用した送受話機能を非能動とするための制御信号（以下、第３の制御信号という。）を生成する。この第３の制御信号は、前述の第１、第２の各制御信号の信号伝送ラインと同一の順路を経由して玄関子機１へと伝送される。
【００８１】
玄関子機１は、居室親機２のＣＰＵ３７より伝送されてきた第３の制御信号を検出すると、送受話機能が非能動となることから、来訪者により使用される子機マイク１２および子機スピーカ１３と居住者により使用される親機マイク２０および親機スピーカ２１との間の通話路が遮断され、通話状態は待受状態に復旧する。
【００８２】
前述までの説明では、居室親機２のモニタ２３に出画された映像（同様に当該モニタに表示された文字メッセージや絵データ等）をもとに、来訪者からの呼び出しがあることを確認した居住者が行う応答操作として、居室親機２の通話ボタン２４が操作された場合において拡声による送受話の双方向通話を成立させる動作について説明したが、この第１の応答操作に限定されるものではない。第２の応答操作として、居室親機２のハンドセット２２を取り上げるような操作を行った場合であっても、前述の第１の応答操作が行われた場合と同様な効果を得ることができる。また、居室親機２の呼出音用スイッチ３４および受話音声用スイッチ３５がそれぞれメイク状態となるように切り替え制御するための操作は、前述の第１、第２の応答操作を行わずに、予め操作されていた音量無音設定ボタン２７がオフとなるような復旧操作も好適とされる。
【００８３】
また、居室親機２の通話ボタン２４、モニタボタン２６および音量無音設定ボタン２８は、別体の操作ボタンとして設けたが、この態様に限定されるものではない。例えば、居室親機２に別途、タッチパネルを設け、このタッチパネルを使用した入力操作により、モニタ２３のトップ画面に表示させた通話ボタン２４、モニタボタン２６および音量無音設定ボタン２８をそれぞれ押すこともできる。
【００８４】
なお、本発明のインターホン装置においては、特定の実施の形態をもって説明してきたが、この形態に限定されるものでなく、本発明の効果を奏する限り、これまで知られた如何なる構成であっても採用できるということはいうまでもないことである。
【図面の簡単な説明】
【００８５】
【図１】本発明を実施するための最良の一形態例であるインターホン装置の外観構成を示すシステム説明図。
【図２】本発明を実施するための最良の一形態例であるインターホン装置において、居室親機の具体的な構成を示すブロック図。
【符号の説明】
【００８６】
１……玄関子機
１０……呼出ボタン
１２……子機マイク
１３……子機スピーカ
２……居室親機
２０……親機マイク
２１……親機スピーカ
２７……音量無音設定ボタン（音量無音設定手段）
２８……ＬＥＤ（視認手段）
３０……音量設定回路（音量無音設定手段）
３４……呼出音用スイッチ（音量無音設定手段）
３５……受話音声用スイッチ（音量無音設定手段）
３７……ＣＰＵ（音量無音設定手段）
【図１】
2007088756.tif 000003
【図２】
2007088756.tif 000004